(57)【要約】【課題】使用者が良い操作感を得ることを可能にする。【解決手段】使用者が、挿入領域２に指を挿入して持ち手部本体４ｃを握り、持ち手部本体４ｃを枠体部３の埋込方向と逆方向に引っ張った際、持ち手部４がバネ６の復元力に抗してガイド穴５に沿って枠体部３の埋込方向と逆方向に移動する。【選択図】図１
2007195670.tif 000002
【特許請求の範囲】
【請求項１】
商品の前面に埋め込まれ、使用者の指の挿入領域を規定する枠体部と、前記挿入領域に設けられ、挿入領域を分割する柱状の持ち手部とを備える埋込型取っ手であって、
使用者が、前記挿入領域に指を挿入して持ち手部を握り、枠体部の埋込方向と逆方向に持ち手部を引っ張った際、当該持ち手部を枠体部の埋込方向と逆方向に移動させることにより前記挿入領域を広げるスライド機構を備えることを特徴とする埋込型取っ手。
【請求項２】
請求項１に記載の埋込型取っ手であって、
前記スライド機構は前記枠体部の埋込方向と逆方向に加えて上下方向に持ち手部を移動可能なように構成されていることを特徴とする埋込型取っ手。
【請求項３】
請求項１又は請求項２に記載の埋込型取っ手であって、
前記持ち手部は本体部分の軸中心を中心として回転運動可能なように構成されていることを特徴とする埋込型取っ手。
【請求項４】
収納庫の前面に埋め込まれ、使用者の指の挿入領域を規定する枠体部と、前記挿入領域に設けられ、挿入領域を分割する柱状の持ち手部とを備える埋込型取っ手を有するシステムキッチンであって、
前記埋込型取っ手は、使用者が、前記挿入領域に指を挿入して持ち手部を握り、枠体部の埋込方向と逆方向に持ち手部を引っ張った際、当該持ち手部を枠体部の埋込方向と逆方向に移動させることにより前記挿入領域を広げるスライド機構を備えることを特徴とするシステムキッチン。
【発明の詳細な説明】
【技術分野】
【０００１】
本発明は、システムキッチンの棚や引き出し等の商品の前面に適用して好適な埋込型取っ手に関する。
【背景技術】
【０００２】
従来より、商品の前面に埋め込まれ、使用者の指の挿入領域を規定する枠体部と、枠体部の挿入領域に設けられ、挿入領域を分割する持ち手部とを備える埋込型取っ手が知られている（特許文献１を参照）。このような埋込型取っ手が設けられている商品では、使用者は、挿入領域に指を挿入して持ち手部を握り、枠体部の埋込方向と逆方向に持ち手部を引っ張ることにより、商品の前面を引っ張り方向に移動させることができる。
【特許文献１】特開２０００−１８８０３号公報
【発明の開示】
【発明が解決しようとする課題】
【０００３】
ところで、従来の埋込型取っ手をシステムキッチンの棚や引き出し，冷蔵庫等の収納庫の前面に適用しようとする場合には、収納庫の収納容量を確保するために、挿入領域の奥行方向の長さに制約が生じる。このため、従来の埋込型取っ手を収納庫の前面に適用した場合には、使用者の指の挿入領域を十分に確保することができないために、持ち手部を引っ張る際に使用者の指の１点に圧力が集中し、使用者が良い操作感を得られないことがある。
【０００４】
本発明は、上記課題を解決するためになされたものであり、その目的は、使用者が良い操作感を得ることが可能な埋込型取っ手及びシステムキッチンを提供することにある。
【課題を解決するための手段】
【０００５】
上記課題を解決するために、本発明に係る埋込型取っ手は、商品の前面に埋め込まれ、使用者の指の挿入領域を規定する枠体部と、挿入領域に設けられ、挿入領域を分割する柱状の持ち手部とを備える埋込型取っ手であって、使用者が、挿入領域に指を挿入して持ち手部を握り、枠体部の埋込方向と逆方向に持ち手部を引っ張った際、持ち手部を枠体部の埋込方向と逆方向に移動させることにより挿入領域を広げるスライド機構を備える。
【０００６】
また、本発明に係るシステムキッチンは、収納庫の前面に埋め込まれ、使用者の指の挿入領域を規定する枠体部と、挿入領域に設けられ、挿入領域を分割する柱状の持ち手部とを備える埋込型取っ手を有するシステムキッチンであって、埋込型取っ手は、使用者が、挿入領域に指を挿入して持ち手部を握り、枠体部の埋込方向と逆方向に持ち手部を引っ張った際、持ち手部を枠体部の埋込方向と逆方向に移動させることにより挿入領域を広げるスライド機構を備える。
【発明の効果】
【０００７】
本発明に係る埋込型取っ手及びシステムキッチンによれば、使用者が枠体部の埋込方向と逆方向に持ち手部を引っ張った際、挿入領域が広がり、使用者の指と持ち手部の接触面積が大きくなるので、使用者の指の１点に圧力が集中することがなく、指あたりが良くなり、使用者は良い操作感を得ることができる。
【発明を実施するための最良の形態】
【０００８】
本発明に係る埋込型取っ手は、例えば図１に示すようなシステムキッチンの上方に設けられた棚や下方に設けられた引き出しの前面に適用することができる。以下、図面を参照して、本発明に係る埋込型取っ手をシステムキッチンの上方に設けられた棚や下方に設けられた引き出しの前面に適用した、本発明の実施形態となる埋込型取っ手１の構成について詳しく説明する。
【０００９】
本発明の実施形態となる埋込型取っ手１は、図２に示すように、収納庫の前面に埋め込まれ、使用者の指の挿入領域２を規定する枠体部３と、挿入領域２に設けられ、挿入領域２を上下方向に分割する柱状の持ち手部４とを備える。上記持ち手部４は、枠体部３の埋込方向に伸び、奥行き方向の端部に突起部４ａを有する一対の支持部材４ｂと、一対の支持部材４ｂに接合され、水平方向に伸びる柱状の持ち手部本体４ｃとを有する。上記持ち手部本体４ｃの断面形状は、半楕円形状となっており、枠体部３の埋込方向側が曲面形状、使用者に対向する埋込方向と逆方向側が平面形状となっている。上記枠体部３の側面には埋込方向に伸びるガイド穴５が形成され、枠体部３と突起部４ａはガイド穴５の奥行き方向側の側面においてバネ６により連結されている。なお、持ち手部本体４ｃの断面形状は、半楕円形状に限られることはなく、その他の形状であってもよい。
【００１０】
このような構成を有する埋込型取っ手１では、使用者が、挿入領域２に指を挿入して持ち手部本体４ｃを握り、持ち手部本体４ｃを枠体部３の埋込方向と逆方向に引っ張った際、図３（ａ），（ｂ）に示すように、持ち手部４がバネ６の復元力に抗してガイド穴５に沿って枠体部３の埋込方向と逆方向に移動する。すなわち、使用者が持ち手部本体４ｃを枠体部３の埋込方向と逆方向に引っ張った際、持ち手部４と枠体部３の相対位置関係が変化し、持ち手部４のスライド量分だけ挿入領域２が広がる。このため、本発明の実施形態となる埋込型取っ手１によれば、使用者が持ち手部本体４ｃを枠体部３の埋込方向と逆方向に引っ張った際、使用者の指と持ち手部本体４ｃの接触面積が大きくなるので、使用者の指の１点に圧力が集中することがなく、指あたりが良くなり、使用者は良い操作感を得ることができる。
【００１１】
なお、本実施形態では、ガイド穴５は、埋込方向（水平方向）にのみ伸びる形状であったが、埋込方向と逆方向の端部側を図４に示すように上下方向に分岐させることにより、使用者が持ち手部本体４ｃを枠体部３の埋込方向と逆方向に引っ張った際、持ち手部４が、枠体部３の埋込方向と逆方向と合わせて上下方向にも移動するように構成してもよい。このような構成によれば、使用者は、上方向と下方向のどちらの方向からでも指を挿入領域２に挿入して持ち手部本体４ｃを移動させることができる。また、持ち手部本体４ｃを握った際に使用者の爪が枠体部３内部の上面や下面に接触することがなく、使用者は持ち手部本体４ｃをしっかりと握ることができるので、操作性を向上させることができる。
【００１２】
また、図５に示すように、持ち手部本体４ｃを持ち手部本体４ｃの軸中心４ｄを中心として回転可能なように構成してもよい。このような構成によれば、システムキッチンの棚等の上方に配置される商品や、引き出しの取っ手等の下方に配置される商品に対し本発明の実施形態となる埋込型取っ手１を適用した場合であっても、持ち手部本体４ｃが軸中心４ｄを中心として回転し、使用者の指と持ち手部本体４ｃの接触面積が大きくなるので、使用者は持ち手部本体４ｃをしっかりと握ることができる。
【００１３】
また、ガイド穴５は、収納庫の収納容量を考慮して、使用者が持ち手部本体４ｃを枠体部３の埋込方向と逆方向に引っ張った際、持ち手部４が埋込型取っ手１の奥行き方向長さの略半分程度スライド可能な長さに設計することが望ましい。また、持ち手部４は、必ずしも枠体部３の中央に配置する必要はなく、不均等な位置に配置するようにしてもよい。また、図４に示すガイド穴５において、埋込方向と逆方向の端部側を上方向又は下方向のみに分岐させ、持ち手部４を上方向又は下方向のみに移動可能なように構成することにより、使用者の下側又は上側に配置される収納庫の前面のみに適用可能なように埋込型取っ手１を構成してもよい。また、持ち手部４を枠体部３の中央位置に対称に配置すると共に、ガイド穴５を持ち手部４の引き出し方向に対して斜めに形成し、持ち手部４を引っ張る際に持ち手部４を反転可能にすることにより、上方向及び下方向の双方で使用者が好ましく持ち手部４を使用できるようにしてもよい。
【００１４】
以上、本発明者らによってなされた発明を適用した実施の形態について説明したが、この実施の形態による本発明の開示の一部をなす論述及び図面により本発明は限定されることはない。すなわち、上記実施の形態に基づいて当業者等によりなされる他の実施の形態、実施例及び運用技術等は全て本発明の範疇に含まれることは勿論であることを付け加えておく。
【図面の簡単な説明】
【００１５】
【図１】本発明に係る埋込型取っ手が適用されるシステムキッチンの構成を示す図である。
【図２】本発明の実施形態となる埋込型取っ手の構成を示す斜視図である。
【図３】使用者が持ち手部本体を枠体部の埋込方向と逆方向に引っ張った際に持ち手部が移動する様子を説明するための、図２に示す埋込型取っ手の構成を示す側面図である。
【図４】本発明の他の実施形態となる埋込型取っ手の構成を示す側面図である。
【図５】本発明の他の実施形態となる埋込型取っ手の構成を示す側面図である。
【符号の説明】
【００１６】
１：埋込型取っ手
２：挿入領域
３：枠体部
４：持ち手部
４ａ：突起部
４ｂ：支持部材
４ｃ：持ち手部本体
４ｄ：軸中心
５：ガイド穴
６：バネ
【図１】
2007195670.tif 000003
【図２】
2007195670.tif 000004
【図３】
2007195670.tif 000005
【図４】
2007195670.tif 000006
【図５】
2007195670.tif 000007